(57)【要約】【課題】転写部ニップ部上流側において、放電により発生する転写不良を防止する。【解決手段】転写ニップ部における接線と、転写材が転写ニップ部に侵入する方向とのなす角度を、２０°以上、３０°以下の範囲内とする。【選択図】      図１
2004271602.tif 000002
【特許請求の範囲】
【請求項１】
像担持体に画像を形成する像形成手段と、
前記像担持体に当接するよう配設された転写部材と、を有し、
前記像担持体と前記転写部材との当接部に転写材を通過させることで、前記像担持体の画像を前記転写材に転写する画像形成装置において、
前記当接部における接線と、前記転写材が前記当接部に侵入する方向、との成す角度が、２０°以上、３０°以下の範囲内であることを特徴とする画像形成装置。
【請求項２】
前記転写材が前記当接部に向かって搬送される際に、前記転写材を導くガイド部材を有することを特徴とする請求項１に記載の画像形成装置。
【請求項３】
前記像担持体は、ベルト形状を有し、
前記像担持体を挟んだ前記転写部材との対向位置に配置されたバックアップ部材を有することを特徴とする請求項１または請求項２に記載の画像形成装置。
【請求項４】
前記像形成手段は、感光体の表面に形成した画像を、前記像担持体に転写するよう構成されることを特徴とする請求項１ないし請求項３のいずれかに記載の画像形成装置。
【発明の詳細な説明】
【０００１】
【発明の属する技術分野】
本発明は複写機やレーザビームプリンタの如き画像形成装置に関する。
【０００２】
【従来の技術】
カラー複写機やカラーレーザビームプリンタの如き画像形成装置としては、例えば特許文献１のように、中間転写ベルトを用いたものがある。像担持体上の画像は１次転写部において中間転写ベルトに転写され、転写された中間転写ベルト上の画像は、搬送されてくる転写材に対して２次転写部において転写される構成を有している。
【０００３】
【特許文献１】
特開２００２−２４４４４９号公報
【０００４】
【発明が解決しようとする課題】
上記従来の画像形成装置において、注意しなければいけない問題として、２次転写部で発生する異常画像がある。具体的には中間転写ベルト上のトナー像の電荷が２次転写ローラニップ部でシート材に転写する前に、２次転写外ローラに向かって空中放電してしまい、それにより転写画像が白く抜けてしまう現象である。その対策として、例えば図４のような構成が考えられる。図４は、図面における下部から図面における上部に向けて２次転写部に転写材が搬送される構成が示されており、中間転写ベルト３の内側に配置された転写内ローラ４と、弾性部材で構成された転写外ローラ５が押圧されることにより形成されるニップライン（Ｄ）（ニップ部における接線）に対して、２次転写部に入る前の中間転写ベルト表面の位置が、転写外ローラ５の側にあるようにすることで、転写材をあらかじめ中間転写ベルトに当ててから、２次転写ローラで転写させることにより、ニップ直前の空中放電による画像不良を防ごうとするものである。
【０００５】
しかしながら、このような例では、装置構成上の制限により、所定の紙パスで２次転写部に送られてきた転写材を、２次転写部の直前に当てる構成をとろうとすると、図４のような２次転写前のローラ５１が必要となってしまう。これは装置を小型化する上での弊害になってしまい、当然コストＵＰになってしまうという欠点があった。
【０００６】
本発明は上記問題に鑑みてなされたもので、その目的とするところは、簡単な構成により、転写部での異常画像を発生しない画像形成装置を提供するところにある。
【０００７】
【課題を解決するための手段】
上記の目的を達成するための画像形成装置は、像担持体に画像を形成する像形成手段と、前記像担持体に当接するよう配設された転写部材と、を有し、前記像担持体と前記転写部材との当接部に転写材を通過させることで、前記像担持体の画像を前記転写材に転写する画像形成装置において、前記当接部における接線と、前記転写材が前記当接部に侵入する方向、との成す角度が、２０°以上、３０°以下の範囲内であることを特徴とするものである。
【０００８】
【発明の実施の形態】
以下、図面を用いて、本発明を実施した現像装置を使用した画像形成装置について説明を行う。図２は本発明の画像形成装置の断面図である。
【０００９】
１０１は画像形成装置本体であり、画像形成装置本体１０１の上部には固定して設けられた透明ガラス板からなる原稿台１０２が設けられている。１０３は原稿圧着板であり、原稿台１０２の所定の位置に画像面を下向きにして載置された原稿１００を押圧固定する。原稿台１０２の下側には原稿１００を照明するランプ１０４と、照明した原稿１００の光像を画像処理ユニット１０８に導くための反射ミラー１０５、１０６、１０７とからなる光学系が設けられている。なお、ランプ１０４及び反射ミラー１０５、１０６、１０７は所定の速度で移動して原稿１００を走査する。
【００１０】
画像形成部１１５は、感光ドラム１１２と、感光ドラム１１２の表面を均一に帯電する帯電ローラ１６０と、感光ドラム１１２にトナー像を形成するロータリ現像ユニット１５１と、感光ドラム１１２の表面に現像されたトナー像が転写される像担持体であるところの中間転写ベルト３と、中間転写ベルト３の内側に配置された転写内ローラ４と、トナー像を転写した後、感光ドラム１１２に残留したトナーを除去するクリーナ１２６等を備えている。感光ドラム１１２は、帯電ローラ１６０によって帯電された感光ドラム１１２の表面にレーザーユニット１０９から照射される光像により形成された静電潜像を現像して中間転写ベルト３に転写するようになっている。中間転写ベルト３上のトナー像は、２次転写部において中間転写ベルトの内側に配置された転写内ローラ４と、ベルトの外側に配置された転写外ローラ５によって、シート材（転写材）Ｓに転写される。シート材Ｓは、シート材カセット１２７から供給されるようになっている。
【００１１】
画像形成部１１５のシート搬送方向下流側には、搬送されるシート材Ｓ上のトナー像を永久画像として定着する定着器１２２と、この定着器１２２においてトナー像が定着されたシート材Ｓを複写機本体１０１から排出する排出ローラ対１２４とを順に配設してある。複写機本体１０１の外側には、排出ローラ対１２４によって排出されたシート材Ｓを受け取る排出部１２５を設けてある。
【００１２】
本発明の形態は、ローラ等を追加することなしに、転写部での異常画像を発生しないようにすることを最大の特徴とする。したがって、これ以降はこの特徴部分を中心に説明する。
【００１３】
図１は、本発明に係わる２次転写部の拡大図である。また、図３は、画像形成装置のシート搬送部を前面から見た概略図である。シート材Ｓは不図示の駆動源により駆動するレジストローラ対７，８により搬送し、第１の２次転写前ガイド１と、第２の２次転写前ガイド２との間を通過し、２次転写部の中間転写ベルト３、２次転写ローラ対４，５によりトナー像をシート材Ｓに転写する。レジ外ローラ８は軸受９と加圧ばね１１によりレジ内ローラ７に押圧し、転写外ローラ５は軸受アーム６と加圧ばね１０により転写内ローラ４に押圧する。
【００１４】
出願人は、２次転写部におけるシート材の侵入角度が、２次転写部における転写不良に影響することを見出した。
【００１５】
より具体的には、第１の２次転写前ガイド１と、２次転写ニップ部との間のシート材Ｓは、第１の２次転写前ガイド１の形状及び配置により、図中に示したＢのラインを通ることになる。そして、２次転写でのニップ部におけるニップライン（接線）Ａと、前記Ｂラインとのなす角Ｃと、転写不良との関係を見出した。
【００１６】
出願人の検討によれば、前記角度Ｃが、２０°以上であれば、シート材がニップ部侵入前に中間転写ベルトに充分に沿って侵入でき、転写不良を防止することがわかった。
【００１７】
なお、角度Ｃは、３０°を超えると、シート材のニップへのスムーズな侵入がしづらくなる事もわかった。スムーズな侵入が行えないと、シート材が暴れる等して、やはり転写不良画像を生じてしまう。
【００１８】
従って、良好な転写画像を得るには、角度Ｃは、２０°以上、３０°以下である事が望ましい。
【００１９】
【発明の効果】
以上説明したように、本出願に係わる発明によれば、簡単な構成で、転写異常画像を発生しないようにすることが可能となった。
【図面の簡単な説明】
【図１】本発明に係わる２次転写部の詳細図。
【図２】本発明に係わる画像形成装置の構成を模式的に示した透視図。
【図３】本発明に係わる２次転写部の構成を模式的に示した図。
【図４】本発明における課題を説明する図。
【符号の説明】
１  第１の２次転写前ガイド
２  第２の２次転写前ガイド
３  中間転写ベルト
４  転写内ローラ
５  転写外ローラ
【図１】
2004271602.tif 000003
【図２】
2004271602.tif 000004
【図３】
2004271602.tif 000005
【図４】
2004271602.tif 000006